(57)【要約】【課題】遠隔地に存在する検知対象ガスを高い精度で検知可能なガス検知装置を提供する。【解決手段】検知対象ガスが有する複数の吸収線のうちの１つの吸収線の波長を中心に所定の波長幅（変調周波数ｆ1）で波長変調されたレーザ光を出力する変調光出力部１１と、励起光を出力する励起光出力部１２と、レーザ光と励起光を合波する合波器１３と、合波器１３によって合波されたレーザ光および励起光の合波光が入射される光ファイバ１４と、を有し、光ファイバ１４を伝搬してラマン増幅されたレーザ光を測定雰囲気２に出射する光源部１と、測定雰囲気２中を透過したラマン増幅されたレーザ光を測定光として受光し、測定光に応じた受光信号を出力する受光部３と、受光信号から検出される変調周波数ｆ1の基本波信号および２倍波信号の比に基づいて測定雰囲気２中に含まれる検知対象ガスのガス濃度を算出するガス検知部４と、を備える。【選択図】図１
2011169849.tif 000002
【特許請求の範囲】
【請求項１】
検知対象ガスが有する複数の吸収線のうちの１つの吸収線の波長を中心に所定の波長幅で波長変調されたレーザ光を出力する変調光出力部（１１）と、該レーザ光をラマン増幅させるための励起光を出力する励起光出力部（１２）と、該レーザ光と該励起光を合波する合波器（１３）と、該合波器によって合波されたレーザ光と励起光との合波光が入射される光ファイバ（１４）と、を有し、該光ファイバを伝搬してラマン増幅されたレーザ光を測定雰囲気（２）に出射する光源部（１）と、
前記測定雰囲気中を透過した前記ラマン増幅されたレーザ光を測定光として受光し、該測定光に応じた受光信号を出力する受光部（３）と、
前記受光信号から検出される前記波長変調の変調周波数の基本波信号および２倍波信号の比に基づいて前記測定雰囲気中に含まれる前記検知対象ガスのガス濃度を算出するガス検知部（４）と、を備えるガス検知装置。
【請求項２】
前記測定光を前記受光部に伝搬させる別の光ファイバ（２１）をさらに備える請求項１に記載のガス検知装置。
【請求項３】
前記変調光出力部が、単一縦モードのレーザ光を出射する半導体レーザ（１５）を備える請求項１または請求項２に記載のガス検知装置。
【請求項４】
前記励起光出力部が、複数の縦モードを有する励起光を出射する半導体レーザを備える請求項１から請求項３のいずれか一項に記載のガス検知装置。
【発明の詳細な説明】
【技術分野】
【０００１】
本発明は、レーザ光源およびそれを用いたガス検知装置に関し、特に、検知対象ガスの吸収線を利用してガス検知を行うためのレーザ光源およびそれを用いたガス検知装置に関する。
【背景技術】
【０００２】
被測定ガス中における所望のガス成分の濃度を検知するために、従来からガスクロマトグラフ等の化学式のガス検知装置が用いられてきた。しかしながら、このような化学的測定を行うガス検知装置では、簡易な測定、迅速な測定を行うことが困難であった。
【０００３】
ところで、メタン、酸素、二酸化炭素、アセチレン、アンモニア等のガスは、分子の回転や構成原子間の振動等に応じた特定波長の光（主に赤外領域の光）を吸収することが知られている。例えばメタンは１．６μｍ、３．３μｍ、７μｍの波長の光を吸収し、酸素は７６０ｎｍの波長の光を吸収する。
【０００４】
そこで、この現象を利用した分光式のガス検知装置が開発された。このような分光式のガス検知装置は、測定対象の空間に特定波長のレーザ光を出射しその減衰状態を測定することにより、極めて簡便かつ迅速に検知対象ガスの有無、濃度を検知することができる。
【０００５】
一般的にガスの吸収線は極めて急峻であるため、高精度なガス検出を実現するためには、上述の分光式のガス検知装置に用いられるレーザ光源は単一縦モードのレーザ発振が可能であることが好ましい。
【０００６】
このような要求に応えるレーザ光源としては分布帰還型（ＤＦＢ：Distributed FeedBack）半導体レーザが挙げられる。分布帰還型半導体レーザは、光導波路に光の導波方向に沿った周期構造を設け、周期構造のピッチの長さと光導波路の屈折率によって定まる特定波長の単一縦モードのレーザ発振を実現するものである。
【０００７】
ＤＦＢ半導体レーザを備えたガス検知装置は、例えば図７に示すように、半導体レーザモジュール１００と、受光器１０２と、ガス検知部１０３と、を備えている（例えば、特許文献１参照）。特許文献１に開示されたガス検知装置においては、ＤＦＢ半導体レーザが組込まれた半導体レーザモジュール１００から出射されるレーザ光が、測定雰囲気中の被測定ガス１０１を透過して受光器１０２へ入射される。
【０００８】
ここで、被測定ガス１０１は、例えば、図８に示す中心波長λ0の吸収特性Ａを有する。半導体レーザモジュール１００が備えるＤＦＢ半導体レーザは、図８に示すように、中心電流値Ｉ0（バイアス電流値）を中心に、振幅Ｉw、変調周波数ｆ1（例えば１０ｋＨｚ）で変調された駆動電流Ｉdが印加されることにより、中心波長λ0を中心に振幅λw（例えば１０ｐｍ）、変調周波数ｆ1で振動するレーザ光を被測定ガス１０１に出射するようになっている。
【０００９】
吸収特性Ａは中心波長λ0に極小点を有するため、変調周波数ｆ1で振動するレーザ光は、被測定ガス１０１を透過することにより、変調周波数ｆ1の２倍の周波数ｆ2（＝２０ｋＨｚ）の振動成分を含むこととなる。
【００１０】
受光器１０２の受光素子１０２ａは、被測定ガス１０１を透過した上述のレーザ光を受光して受光電流に変換するようになっている。ガス検知部１０３は、受光器１０２で得られた受光電流を電流電圧変換器１０４にて電圧信号に変換するようになっている。
【００１１】
さらに、ガス検知部１０３は、その電圧信号に含まれる変調周波数ｆ1＝１０ｋＨｚの信号成分である基本波電圧信号ｈ1、および、変調周波数ｆ1＝１０ｋＨｚの２倍の周波数ｆ2（＝２０ｋＨｚ）の信号成分である２倍波電圧信号ｈ2を基本波信号検出器１０５および２倍波信号検出器１０６によりそれぞれ検出するようになっている。そして、基本波２倍波割算部１０７は、この２倍波電圧信号ｈ2の振幅Ｈ2と基本波電圧信号ｈ1の振幅Ｈ1との比（Ｈ2／Ｈ1）をガス濃度に対応する検出値Ｄ（＝Ｈ2／Ｈ1）として出力するようになっている。
【先行技術文献】
【特許文献】
【００１２】
【特許文献１】特開平１１−３２６１９９号公報
【発明の概要】
【発明が解決しようとする課題】
【００１３】
しかしながら、特許文献１に開示されたような従来のガス検知装置は、測定可能距離が１００ｍ程度であり、遠隔地（例えば、海底、可燃性のガスが発生する恐れがある炭坑内）に存在する被測定ガスの検知を行う用途には適していなかった。
【００１４】
そこで、遠隔地のガス検知を行うために、半導体レーザモジュールをファイバピグテール型とし、ＤＦＢ半導体レーザの出力光を光ファイバで遠隔地まで伝送する方法が考えられる。しかしながら、一般的な光ファイバ通信に用いられる光ファイバは最小損失波長が１．５５μｍ付近であるのに対して、ガスの吸収線波長は個々に固有であり、各吸収線波長における伝送損失は一般的に小さくない。特に１．７μｍ以上の波長になると光ファイバの曲げ損失が急激に上昇してしまう問題がある。
【００１５】
この問題を解決するためには、例えば、ＤＦＢ半導体レーザの出力パワーを大きくすることが考えられるが、ＤＦＢ半導体レーザから出射される単一縦モードの光を光ファイバで伝送する場合、誘導Ｂｒｉｌｌｏｕｉｎ散乱（ＳＢＳ：Stimulated Brillouin Scattering）が発生する可能性がある。
【００１６】
ＳＢＳは、３次の非線形光学効果の１つで、光ファイバに入射された大強度の光（例えばレーザ光）と、この入射光により光ファイバ中に励起された音響フォノンとの相互作用によって生じる散乱現象である。ＳＢＳが起こると、入射光の伝搬方向と反対の方向にブリルアンシフト周波数と呼ばれる周波数だけ低い周波数を持つ後方散乱光が発生する。従って、ＳＢＳが起こると入射光の伝送特性が劣化し、入射光の長距離伝送が困難になる。
【００１７】
本発明は、このような従来の課題を解決するためになされたものであって、ＳＢＳを抑制することにより、遠隔地に存在する検知対象ガスを高い精度で検知可能なガス検知装置を提供することを目的とする。
【課題を解決するための手段】
【００１８】
本発明のガス検知装置は、検知対象ガスが有する複数の吸収線のうちの１つの吸収線の波長を中心に所定の波長幅で波長変調されたレーザ光を出力する変調光出力部と、該レーザ光をラマン増幅させるための励起光を出力する励起光出力部と、該レーザ光と該励起光を合波する合波器と、該合波器によって合波されたレーザ光と励起光との合波光が入射される光ファイバと、を有し、該光ファイバを伝搬してラマン増幅されたレーザ光を測定雰囲気に出射する光源部と、前記測定雰囲気中を透過した前記ラマン増幅されたレーザ光を測定光として受光し、該測定光に応じた受光信号を出力する受光部と、前記受光信号から検出される前記波長変調の変調周波数の基本波信号および２倍波信号の比に基づいて前記測定雰囲気中に含まれる前記検知対象ガスのガス濃度を算出するガス検知部と、を備える構成を有している。
【００１９】
この構成により、ＳＢＳを抑制できるため、遠隔地に存在する検知対象ガスを高い精度で検知できる。
【００２０】
また、本発明のガス検知装置は、前記測定光を前記受光部に伝搬させる別の光ファイバをさらに備える構成を有している。
この構成により、外来の電磁波の影響を受けずに測定光を長距離伝送することができる。
【００２１】
また、本発明のガス検知装置は、前記変調光出力部が、単一縦モードのレーザ光を出射する半導体レーザを備える構成を有していてもよい。さらに、本発明のガス検知装置は、前記励起光出力部が、複数の縦モードを有する励起光を出射する半導体レーザを備える構成を有していてもよい。
【発明の効果】
【００２２】
本発明は、ＳＢＳを抑制することにより、遠隔地に存在する検知対象ガスを高い精度で検知可能なガス検知装置を提供するものである。
【図面の簡単な説明】
【００２３】
【図１】本発明に係るガス検知装置の構成を示すブロック図
【図２】本発明に係るガス検知装置が備える光源部の構成を示すブロック図
【図３】光源部が備える変調光出力部に使用される半導体レーザの光の導波方向に沿った断面図
【図４】光源部が備える励起光出力部の構成を示すブロック図
【図５】励起光の中心波長と利得との関係を示すグラフ
【図６】本発明に係るガス検知装置の遠隔地における構成を示すブロック図
【図７】従来のガス検知装置の構成を示すブロック図
【図８】被測定ガスの吸収特性と変調信号との関係を示すグラフ
【発明を実施するための形態】
【００２４】
以下、本発明に係るレーザ光源およびそれを用いたガス検知装置の実施形態について、図面を用いて説明する。
【００２５】
本発明に係るガス検知装置の実施形態を図１〜図６を用いて説明する。図１は本実施形態のガス検知装置の構成を示すブロック図である。
【００２６】
即ち、図１に示すように、本実施形態のガス検知装置は、検知対象ガスが有する複数の吸収線のうちの１つの吸収線の波長を中心に所定の波長幅（変調周波数ｆ1）で波長変調されたレーザ光を遠隔地の測定雰囲気２に出射する光源部１と、測定雰囲気２中を透過した該レーザ光を測定光として受光し、該測定光に応じた受光信号を出力する受光部３と、該受光信号から検出される変調周波数ｆ1の基本波信号および２倍波信号の比に基づいて測定雰囲気２中に含まれる検知対象ガスのガス濃度を算出するガス検知部４と、を備える。
【００２７】
ここで、光源部１、受光部３、およびガス検知部４に対して、測定雰囲気２は遠隔地に存在しているものとする。
【００２８】
受光部３は、例えばフォトダイオード等の受光素子からなり、受光した光の受光量に応じた受光信号を出力するようになっている。
【００２９】
ガス検知部４は、受光部３から出力された電流信号である受光信号を電圧信号に変換する電流電圧変換器４１と、電流電圧変換器４１によって変換された電圧信号に含まれる変調周波数ｆ1の信号成分である基本波電圧信号ｈ1を検出する基本波信号検出器４２と、該電圧信号に含まれる変調周波数ｆ1の２倍の周波数ｆ2の信号成分である２倍波電圧信号ｈ2を検出する２倍波信号検出器４３と、２倍波信号検出器４３によって検出された２倍波電圧信号ｈ2の振幅Ｈ2を基本波信号検出器４２によって検出された基本波電圧信号ｈ1の振幅Ｈ1で割り算して得られる値を測定雰囲気２に含まれる検知対象ガスのガス濃度に対応する検出値Ｄ（＝Ｈ2／Ｈ1）として出力する基本波２倍波割算部４４と、を備える。
【００３０】
なお、このような信号操作（割り算）を行うのは、受光部３によって受光された光が測定雰囲気２の透過以外の理由によってもある程度のレベル変動を生じるため、そのレベル変動を除去して正確なガス濃度検出を行うためである。
【００３１】
電流電圧変換器４１は、受光部３から出力された受光信号を電圧信号に変換して増幅する機能を有するプリアンプを備えている。なお、電流電圧変換器４１が備えるプリアンプにおいては、基本波電圧信号ｈ1および２倍波電圧信号ｈ2が基本波信号検出器４２および２倍波信号検出器４３において同等の検出可能なレベルになるように、それぞれの信号に対する増幅度が適切な値に設定されていることが好ましい。
【００３２】
次に、本実施形態のガス検知装置が備える光源部１について説明する。図２のブロック図に示すように、光源部１は、所定の波長幅（変調周波数ｆ1）で波長変調されたレーザ光（以下、変調光と記す）ａを出力する変調光出力部１１と、変調光ａをラマン増幅させるための励起光ｂを出力する励起光出力部１２と、変調光ａと励起光ｂを合波する合波器１３と、合波器１３によって合波された変調光ａと励起光ｂとの合波光が入射される光ファイバ１４と、を備え、光ファイバ１４を伝搬してラマン増幅された変調光ａ'を測定雰囲気２に出射するようになっている。
【００３３】
変調光出力部１１は、所定の波長幅（変調周波数ｆ1）で波長変調された中心波長λaのレーザ光である変調光ａを出射する半導体レーザ１５と、変調光ａを生成するための駆動電流Ｉdを半導体レーザ１５に印加するレーザ駆動部１６と、を備える。ここで、駆動電流Ｉdは、中心電流値Ｉ0を中心に、振幅Ｉw、変調周波数ｆ1（例えば１０ｋＨｚ）で変調された電流である。
【００３４】
半導体レーザ１５は、例えば、単一縦モードでレーザ発振する分布帰還型（ＤＦＢ：Distributed FeedBack）半導体レーザである。ＤＦＢ半導体レーザは、光導波路に光の導波方向に沿った周期構造を備えており、周期構造のピッチの長さと光導波路の屈折率によって定まる特定波長の単一縦モードのレーザ発振を実現するものである。
【００３５】
ここで、変調光出力部１１が備える半導体レーザ１５の具体的な構成例を図３に示す。図３は、半導体レーザ１５を光の導波方向に沿って切断した断面図である。
【００３６】
即ち、変調光出力部１１が備える半導体レーザ１５は、例えば、ｎ型ＩｎＰ（インジウム・リン）からなるｎ型半導体基板１５１の上に、ｎ型ＩｎＰクラッド層１５２、ｎ型ＩｎＧａＡｓＰ（インジウム・ガリウム・砒素・リン）からなるＳＣＨ層（光閉じ込め層）１５３、ＩｎＧａＡｓＰからなる多重量子井戸層（ＭＱＷ）を含む活性層１５４、ｐ型ＩｎＧａＡｓＰからなるＳＣＨ層１５５、ｐ型ＩｎＰクラッド層１５６、ｐ型ＩｎＧａＡｓ（インジウム・ガリウム・砒素）からなるコンタクト層１５７が順次積層されて構成される。
【００３７】
さらに、ＳＣＨ層１５５とｐ型ＩｎＰクラッド層１５６との間には回折格子１５８が形成され、コンタクト層１５７上には上部電極１５９、ｎ型半導体基板１５１の下面には下部電極１６０が蒸着形成されている。
【００３８】
また、半導体レーザ１５は、劈開によって形成された後方端面１５ａおよび出射端面１５ｂを備えている。活性層１５４は、後方端面１５ａから出射端面１５ｂにかけて設けられており、駆動電流Ｉdが上部電極１５９と下部電極１６０との間に供給されることによってレーザ光を生成し、生成したレーザ光を出射端面１５ｂから出射する構成を有している。なお、後方端面１５ａおよび出射端面１５ｂには、反射率を調整するためのコーティングが施されていてもよい。
【００３９】
半導体レーザ１５から出射されるレーザ光の波長λは、上述の駆動電流Ｉdに応じて変動する。これにより、図２に示した変調光出力部１１は、中心波長λaを中心に振幅λw（例えば１０ｐｍ）、変調周波数ｆ1で振動するレーザ光である変調光ａを出力するようになっている。ここで、中心波長λaは、中心電流値Ｉ0が半導体レーザ１５に印加された場合の発振波長である。
【００４０】
なお、上記の半導体レーザ１５を構成する各層の組成比、ドープされる不純物の種類および量は、出射される変調光ａの中心波長λaが所望の波長（例えば１６５１ｎｍ）となるように適宜調整すればよい。
【００４１】
励起光出力部１２は、光ファイバ１４を伝搬する変調光ａを励起光ｂによりラマン増幅し、ラマン増幅後の変調光ａ'を光ファイバ１４から出力させるようになっており、例えば、ＦＢＧ（Fiber Bragg Grating）によって中心波長を安定化された複数の縦モード発振可能な１つの外部共振器型半導体レーザからなっている。ここで変調光ａの中心波長λaが例えば１６５１ｎｍである場合には、ラマン増幅用の励起光ｂの複数の縦モードの中心波長λbは約１５５０ｎｍであればよい。ただし、ラマン増幅作用が得られるのは変調光ａと励起光ｂの偏波方向が一致する場合であるため、安定した利得を得るには光ファイバ１４は偏波保存ファイバであることが望ましい。
【００４２】
あるいは、図４のブロック図に示すように、励起光出力部１２は、それぞれＦＢＧによって共通する一つの中心波長に安定化された複数の縦モード発振可能な２つの外部共振器型半導体レーザからなっていてもよい。例えば、励起光出力部１２は、ともに中心波長λbを有するＦＢＧ５２Ａ、５２Ｂによって波長安定化された複数の縦モード光を出力する外部共振器型半導体レーザ５１Ａ、５１Ｂと、それらの出射光を偏波合成して励起光ｂを生成する偏波合成器５３を備えた構成であってもよい。
【００４３】
なお、外部共振器型半導体レーザ５１Ａ、５１Ｂそれぞれと偏波合成器５３との間は偏波保存ファイバ５６で接続され、偏波面が異なる２つのレーザ光が偏波合成器５３で合成されるようになっている。
【００４４】
図５は、中心波長λbを有する励起光ｂと利得との関係を模式的に示すグラフである。光ファイバ１４に入射された励起光ｂにより、光ファイバ１４において中心波長λbから１００ｎｍ程度長波長側に利得ｇが生じる。この状態で光ファイバ１４に利得ｇの波長帯域の変調光ａが入射されると変調光ａがラマン増幅される（誘導ラマン散乱）。
【００４５】
ところで、光ファイバに入射されるレーザ光の縦モードの本数が増えるほどＳＢＳのしきい値パワーＰthは増大する。これは、縦モードが増えることで光のエネルギーが周波数空間上で分散するためであり、実質的にレーザの線幅が広がることに相当する。励起光出力部１２は、外部共振器型半導体レーザ５１Ａ、５１Ｂを複数の縦モードを有する構成とすることで、励起光ｂの出力が１００ｍＷを大きく超える場合でも光ファイバ１４内でのＳＢＳ発生を抑制するようになっている。
【００４６】
さらに、本実施形態のガス検知装置は、遠隔地の測定雰囲気２を透過した測定光を受光部３に伝搬させる別の光ファイバ２１を備える。ここで、遠隔地における光ファイバ１４、２１の配置例を図６に示す。
【００４７】
図６に示すように、光源部１から延伸された光ファイバ１４の出射端面１４ａと光ファイバ２１の入射端面２１ａとの間にコリメートレンズ２２および集光レンズ２３が配置される。この構成により、コリメートレンズ２２と集光レンズ２３との間に存在する検知対象ガス中をラマン増幅後の変調光ａ'が透過するようになっている。
【００４８】
なお、光ファイバ２１および受光部３の代わりに、測定雰囲気２を透過した測定光を受光する不図示の受光器を遠隔地に設置し、該受光器からの受光信号を不図示の同軸ケーブル等の電線を介してガス検知部４に向けて伝送する構成としてもよい。
【００４９】
次に、以上のように構成された本実施形態のガス検知装置の動作について説明する。
まず、レーザ駆動部１６によって半導体レーザ１５の上部電極１５９と下部電極１６０との間に、中心電流値Ｉ0、振幅Ｉw、変調周波数ｆ1の駆動電流Ｉdが印加されることにより（図２、図３参照）、駆動電流Ｉdに応じた波長λの発振が起こる。ここで、波長λの中心波長λaは、中心電流値Ｉ0が半導体レーザ１５に印加された場合の発振波長である。
【００５０】
これにより、中心波長λaを中心に振幅λw（例えば１０ｐｍ）、変調周波数ｆ1で振動するレーザ光である変調光ａが半導体レーザ１５から合波器１３へ出射される。合波器１３には、さらに励起光出力部１２から励起光ｂが入射されており、変調光ａと励起光ｂとの合波光が光ファイバ１４へ出射される。
【００５１】
光ファイバ１４を伝搬する変調光ａは励起光ｂによりラマン増幅され、ラマン増幅後の変調光ａ'が遠隔地の測定雰囲気２へ出射される（図１参照）。
【００５２】
光ファイバ１４から測定雰囲気２へ出射された変調光ａ'は、測定雰囲気２を透過して測定光となり光ファイバ２１に入射される。測定光は光ファイバ２１を伝搬した後に、受光部３に受光されて電流信号である受光信号に変換される。受光信号は、ガス検知部４に入力される。
【００５３】
受光信号は、電流電圧変換器４１に入力されて電圧信号に変換される。電圧信号は基本波信号検出器４２および２倍波信号検出器４３に入力され、変調周波数ｆ1の信号成分である基本波電圧信号ｈ1、および、変調周波数ｆ1の２倍の周波数ｆ2の信号成分である２倍波電圧信号ｈ2が検出される。基本波２倍波割算部４４によって、２倍波電圧信号ｈ2の振幅Ｈ2を基本波電圧信号ｈ1の振幅Ｈ1で割り算して得られる値が、測定雰囲気２に含まれる検知対象ガスのガス濃度に対応する検出値Ｄ（＝Ｈ2／Ｈ1）として出力される。
【００５４】
なお、例えば、検知対象ガスがメタン（吸収線の中心波長が１６５１ｎｍ）である場合には、変調光ａの中心波長λaが１６５１ｎｍとなるように、半導体レーザ１５を構成する各層の組成比、ドープされる不純物の種類および量を調整することにより、メタンのガス濃度を検出することができる。
【００５５】
以上のように構成された本発明のガス検知装置は、光ファイバ１４中でのラマン増幅により伝送損失を補いながら変調光を伝送するため、検知対象ガスの吸収線波長が光ファイバ１４の伝送損失が大きな波長帯に含まれる場合であっても変調光の長距離伝送が可能となり、長距離遠隔ガス検知を行うことができる。また、単一縦モード光の光出力を抑えつつ長距離伝送ができるため、ＳＢＳの発生も抑制される。
【００５６】
また、本発明のガス検知装置は、遠隔地の測定雰囲気２を透過した測定光を受光部３に伝搬させる光ファイバ２１を備えることにより、外来の電磁波の影響を受けずに測定光を長距離伝送することができる。
【００５７】
なお、変調光出力部１１が備える半導体レーザ１５は、高出力発振させると多モード化しやすく歩留まりが低くなる。本発明のガス検知装置は、変調光出力部１１から出射された直後の変調光ａの光パワーを例えば２ｍＷ程度に抑えることができるため、半導体レーザ１５の歩留まりを向上させることができる。
【００５８】
また、本発明のガス検知装置は、ラマン増幅により、任意の波長の変調光を増幅することができるため、様々なガス検知装置に適用可能である。
【産業上の利用可能性】
【００５９】
以上のように、本発明に係るガス検知装置は、ＳＢＳを抑制することにより、遠隔地に存在する検知対象ガスを高い精度で検知することができるという効果を有し、電源の設置が困難な遠隔地（例えば、海底、可燃性のガスが発生する恐れがある炭坑内）における漏洩ガスの検知装置として有用である。
【符号の説明】
【００６０】
１  光源部
２  測定雰囲気
３  受光部
４  ガス検知部
１１  変調光出力部
１２  励起光出力部
１３  合波器
１４、２１  光ファイバ
１５  半導体レーザ 
【図１】
2011169849.tif 000003
【図２】
2011169849.tif 000004
【図３】
2011169849.tif 000005
【図４】
2011169849.tif 000006
【図５】
2011169849.tif 000007
【図６】
2011169849.tif 000008
【図７】
2011169849.tif 000009
【図８】
2011169849.tif 000010